(57)【要約】      （修正有）【課題】本考案は、什器の主要部を再利用可能にすることを目的とした。【解決手段】外周面に装飾を施すことを前提にした商品陳列用の什器において、支柱、支柱同士を繋ぐ梁部材、必要に応じ照明用の行灯、電源装置、キャスターなどを組み立てた基礎構造体と、この基礎構造体に設けた取付け部分により取外し可能にして取付けてある外装パネルとにより構成されていることを特徴とする【選択図】図１
0003102826.tif 000002
【実用新案登録請求の範囲】
【請求項１】
外周面に装飾を施すことを前提にした商品陳列用の什器において、支柱、支柱同士を繋ぐ梁部材、必要に応じ照明用の行灯、電源装置、キャスターなどを組み立てた基礎構造体と、この基礎構造体に設けた取付け部分により取外し可能にして取付けてある外装パネルとにより構成されていることを特徴とする商品陳列用の什器
【請求項２】
前記請求項１に記載の商品陳列用の什器において、前記外装パネルは、耐久部材と紙や木材などの自然還元容易な材料とに分離可能にしてあることを特徴とする商品陳列用の什器
【請求項３】
前記請求項１又は２に記載の商品陳列用の什器において、前記取付け部分は、支柱に所定の間隔で形成した嵌め込み孔であり、当該嵌込み孔に嵌め込まれると弾性的に抜き出しを阻止するピンが前記外装パネルにネジ止めしてなることを特徴とする商品陳列用の什器
【考案の詳細な説明】
【技術分野】
【０００１】  本考案は、店舗などで使用される商品陳列用の什器に関し、より詳しくは、外装の装飾をより簡単に変更できるものに関する。
【背景技術】
【０００２】  従来のこの種什器は、外装パネルを含む全体の構造部材により、荷重を支えることを前提に構成されていいたので、外装を変更しようとした場合は、什器全体を取り替える必要があったので、外装が不要になった什器は、その全体が店舗から撤去され廃棄されていた。
この結果、多量の廃棄物が生じ、環境ストレスの要因となるのみならず、工事期間の長期化等も招いていた。
【考案の開示】
【０００３】  本考案はこのような実情を改善することを目的にしたものである。
【考案が解決しようとする課題】
【０００４】  具体的には、什器の主要部を再利用可能にすることを目的とした。
【課題を解決するための手段】
【０００５】  上記目的を解決するために、本考案の商品陳列用の什器は、支柱、支柱同士を繋ぐ梁部材、必要に応じ照明用の行灯、電源装置、キャスターなどを組み立てた基礎構造体と、この基礎構造体に設けた取付け部分により取外し可能にして取付けてある外装パネルとにより構成されていることを特徴とする構成を採用した。
【考案の効果】
【０００６】  上記構成を採用することにより、荷重を支える主要構造体と、装飾の中心材料である外装パネルとは、店舗において容易に分離、組み立てができるようになったので、装飾が不要になった古い外装パネルのみを取外し、新たな装飾を施した外装パネルを基礎構造体に取り付けるｋとにより店舖装飾を完了することができ、什器の基礎構造体を廃棄する必要は無くなった。
【課題を解決するための手段】
【０００７】  さらに、前記外装パネルは、耐久部材と紙や木材などの自然還元容易な材料とに分離可能にしてあることを特徴とする構成を採用した
【考案の効果】
【０００８】  このようにすることにより、古い外装パネルの廃棄にあたり、プラスチックや鉄などの耐久素材で形成した部材を分離して、再利用することができ、廃棄するのは自然還元が容易な部材のみになって、環境ストレスを大幅に改善することができた。
【課題を解決するための手段】
【０００９】  また、前記取付け部分は、支柱に所定の間隔で形成した嵌め込み孔であり、当該嵌込み孔に嵌め込まれると弾性的に抜き出しを阻止するピンが前記外装パネルにネジ止めしてなることを特徴とする構成を採用した。
【考案の効果】
【００１０】  このようにすることにより、ピンにおける抜き出し素子部材の弾性変形を強制的に行う、具体的には、外装パネルを内側から強く押し出すなどの操作により外装パネル基礎構造体から取りは外すことができ、ネジを用いた構成に比べ極めて簡単に外装パネルの取替えが行えるようになった。
【考案を実施するための最良の形態】
【００１１】  本考案の実施例を、図１から図５を参照して以下に示すが、本考案はこの実施例に限定されるものではない。
【実施例】
【００１２】  （１００）は基礎構造体で、４角の支柱（１１１）（１１２）（１１３）（１１４）は、上部の梁（１２１）（１２２）と下部の梁（１３１）（１３２）とにより相互に連結され基礎の骨格を構成している。【００１３】  前記基礎の骨格の上部には、照明用の行灯（１４０）が固定してある。
基礎の骨格の下部は、基盤（１６０）上に設置されており、この基盤（１６０）の下部の４隅にはキャスター（１６１）が取り付けてある。前記基盤（１６０）上には電源ボックス（１５０）が載せてある。
前記支柱（１１１）（１１２）（１１３）（１１４）の周面には、嵌め込み孔（１１０）が一定間隔で多数設けてあり、この嵌め込み孔（１１０）により、外装パネル（２１０）（２２０）（２３０）（２４０）（２５０）（２６０）及び棚板（２７０）を取外し可能に取り付けうるようにしてある。
詳しくは以下に示す構成による。【００１４】  外装パネル（２１０）は、前記基礎構造体（１００）の正面下部を覆うパネルである。
外装パネル（２２０）（２３０）は、前記支柱（１１１）と（１１２）の上半分を覆うパネルで、前記支柱（１１１）の側面を覆うリブ状パネル（２２１）と前記支柱（１１２）の側面を覆うリブ状パネル（２３１）とが一体的に固定してある。
外装パネル（２４０）と（２５０）は、前記基礎構造体（１００）の左右側面を覆うパネルである。
これらのパネルには、前記支柱（１１２）の内側面を覆うリブ状パネル（２４１）と前記支柱（１１４）の内側面を覆うリブ状パネル（２４２）、前記支柱（１１１）の内側面を覆うリブ状パネル（２５１）と前記支柱（１１３）の内側面を覆うリブ状パネル（２５２）がそれぞれ一体の固定してある。
外装パネル（２６０）は、前記基礎構造体（１００）の背面を覆うパネルで、前記支柱（１１３）の側面を覆うリブ状パネル（２６１）と前記支柱（１１４）の側面を覆うリブ状パネル（２６２）が一体に固定してある。
これら外装パネルやリブ状パネルは、ベニア板、集成材、平木材等の木製材料を用いて製作したものである。
なお、必要な場合は表面に、紙等の表層材を貼り付けるのも可能である。
図示しないが、枠体に紙又は布などを貼り付けたキャンパス状にしても良いが、この場合は、下記する嵌め込みピン（３００）の固定用枠を必要とする。【００１５】  各外装パネルには、図２に示す構成を有する嵌め込みピン（３００）が取り付けてある。
嵌め込みピン（３００）は嵌め込み孔（１１０）に突入する本体（３１０）と、この一端に一体化した木ネジ（３３０）とにより構成してある。
前記木ネジ（３３０）は外装パネルに適所に固定するためのものであり、外装パネルが不要になった場合は、これから容易に分離してピン（３００）の再利用が可能なようにする為のものである。【００１６】  前記本体（３１０）には環状の角溝（３１１）が形成されていて、この溝（３１１）に入り込み、非圧縮状態では前記嵌め込み孔（１１０）の直径より大きい外周径を有するゴム製のＯリング（３２０）が嵌め込んである。
このようにすることにより、このピン（３００）を嵌め込み孔（１１０）に嵌め込むときは、前記Ｏリング（３２０）が内側に向かって圧縮変形して通過し、その後は原型に戻って外れをとめることとなる。
なお、溝（３１１）の形状を角とし、リング（３２０）の断面を円形にすることにより、リング（３２０）の内側への変形を容易にし、抜き差しのときにＯリング（３２０）が溝（３１１）から抜け落ちるようなことがないようにしてある。
なお、抜き取るときは、内側から外側に向かって外装パネルを強く押し出すことで、Ｏリング（３２０）の弾性変形を招き、前記支柱からピンを抜き出すことができる。【００１７】  前記棚板（２７０）は、支柱（１１１）（１１２）（１１３）（１１４）に該当する４角を切り取った形状を有している。
この切り取った箇所近くの下面に止め金具（３５０）がネジ止めしてある。
前記止め金具（３５０）は、本体（３５１）に前後に移動可能にピン（３５２）を保持し、このピン（３５２）はバネ（３５３）により外側に向かって突出するように付勢して構成してある。
（３５４）は前記棚板（２７０）に取り付けるときに使用するネジ（図外）を通すネジ孔である。
なお、止め金具（３６０）は、構成は前記止め金具（３５０）と同様であるが左右対称に配置したものであるので、前記止め金具（３５０）の説明を援用し、詳しい説明を省略する。
前記棚板（２７０）を取り付けるときは、前記ピン（３５２）の外端を指などで押さえながら前記支柱の間に挿入し、適当な位置にある嵌め込み孔（１１０）に前記ピン（３５２）をあわせると、パネ（３５３）の力で前記ピン（３５２）が嵌め込み孔（１１０）に突入し、取付けが完了する。
逆に取外すときは、ピン（３５２）が嵌っている嵌め込み孔（１１０）に対向する位置にある孔からドライバーなどでピン（３５２）を押し戻しながら棚板（２７０）をずらすことでピン（３５２）を嵌め込み孔（１１０）から取外すことができる。
なお、この金具（３５０）（３６０）は棚板（２７０）にネジ止めしてあるので、前記棚板（２７０）を廃棄する場合は、この金具（３５０）（３６０）を取外して回収し、再使用することができる。
なお、外装パネルの形状は図示したものに限らず、上下左右に複数に分割したり、凹凸をつけたりなど、装飾の要望に応じ各種に成型が可能である。
また、棚板（２７０）の取付け位置や枚数も、嵌め込み孔（１１０）との関係で規制されるのみで自由に設定できる。
さらに、基礎構造体（１００）についても、行灯（１４０）、電源箱（１５０）、キャスター（１６１）は必ずしも必要なものではない。
【産業上の利用可能性】
【００１８】  本考案は、店舗に商品を陳列するための什器、特に、外周に装飾を施し、その装飾を季節やイペントなどによりたびたび変更する必要のある什器に適用することにより、廃棄物の現象、現場作業の短期化等に極めて有効に利用しうるものである。
【図面の簡単な説明】
【図１】本考案の実施例を示す分解斜視図
【図２】嵌め込みピンの構成を示す縦断正面図
【図３】棚板を示す、斜視図
【図４】止め金具を示す斜視図
【図５】本考案の実施例の組み立て状態を示す斜視図
【符号の説明】
（１００）      基礎構造体
（１１０）      嵌め込み孔
（１１１）      支柱
（１１２）      支柱
（１１３）      支柱
（１１４）      支柱
（１２１）      上部の梁
（１２２）      上部の梁
（１３１）      下部の梁
（１３２）      下部の梁
（１４０）      照明用の行灯
（１５０）      電源ボックス
（１６０）      基盤
（１６１）      キャスター
（２１０）      外装パネル「正面下部を覆うパネル」
（２２０）      外装パネル「支柱を覆うパネル」
（２２１）      リブ状パネル
（２３０）      外装パネル「支柱を覆うパネル」
（２３１）      リブ状パネル
（２４０）      外装パネル「左側面を覆うパネル」
（２４１）      リブ状パネル
（２４２）      リブ状パネル
（２５０）      外装パネル「右側面を覆うパネル」
（２５１）      リブ状パネル
（２５２）      リブ状パネル
（２６０）      外装パネル「背面を覆うパネル」
（２６１）      リブ状パネル
（２６２）      リブ状パネル
（２７０）      棚板
（３００）      嵌め込みピン
（３１０）      本体
（３１１）      環状の角溝
（３２０）      Ｏリング
（３３０）      木ネジ
（３５０）（３６０）      止め金具
（３５１）      本体
（３５２）      ピン
（３５３）      バネ
（３５４）      ネジ孔
【図１】
0003102826.tif 000003
【図２】
0003102826.tif 000004
【図３】
0003102826.tif 000005
【図４】
0003102826.tif 000006
【図５】
0003102826.tif 000007